(57)【要約】【課題】金属片等の混合物が混入した多量の土壌中から混合物を、短期間に分離することができる金属汚染土壌の処理装置を提供する。【解決手段】金属片を混入している土壌から前記金属片を回収する金属汚染土壌の処理装置であって、金属片を混入している土壌を受入れる少なくとも２つ以上の螺旋状に形成した管路４と前記管路４の入口側に設けたホッパ５と前記管路４の下方側部分に設けた空気噴射ノズル７とこの空気噴射ノズル７に連結した圧縮空気供給源９とを有する粉砕機３と、前記管路４の出口側に設けられ、金属片と土砂とを分級する分級機１１とを備えた。【選択図】  図１
2006055686.tif 000002
【特許請求の範囲】
【請求項１】
金属片を混入している土壌から前記金属片を回収する金属汚染土壌の処理装置であって、金属片を混入している土壌を受入れる少なくとも２つ以上の螺旋状に形成した管路と前記管路の入口側に設けたホッパと前記管路の下方側部分に設けた空気噴射ノズルとこの空気噴射ノズルに連結した圧縮空気供給源とを有する粉砕機と、前記管路の出口側に設けられ、金属片と土砂とを分級する分級機とを備えたことを特徴とする金属汚染土壌の処理装置。
【請求項２】
金属片を混入している土壌から前記金属片を回収する金属汚染土壌の処理装置であって、金属片を混入している土壌の衝突及び土壌相互の衝突を可能にする少なくとも２つ以上の螺旋状に形成した管路と前記管路の入口側に設けたホッパと前記管路の下方側部分に設けられ、前記管路内に空気流を生起する空気噴射ノズルとこの空気噴射ノズルに連結した圧縮空気供給源とを有する粉砕機と、前記管路の出口側に設けられ、金属片と土砂とを分級する分級機とを備えたことを特徴とする金属汚染土壌の処理装置。
【発明の詳細な説明】
【技術分野】
【０００１】
本発明は、土壌中に混在する混合物を土壌から回収する処理装置に係り、更に詳しくは土壌中に混在する鉛等の混合物を粉砕して土壌から回収する処理装置に関する。
【背景技術】
【０００２】
近年、環境分野において、土壌汚染問題が深刻化しており、各所において土壌浄化が急務となっている。例えば、射撃場の鉛弾による鉛汚染土壌問題においては、汚染源である鉛弾を除去する必要がある。鉛弾に限らず、土壌に混在する汚染物質の金属片を除去する方法としては、この土壌に水を加えて例えばボールミル等によって湿式粉砕した後、この粉砕した土壌を、スクリーン等の分級機で粗粒の金属片と微粒の土壌とに分級するものが知られている（例えば、特許文献１参照。）。
【０００３】
【特許文献１】特開２００３−１８３７４１号公報
【発明の開示】
【発明が解決しようとする課題】
【０００４】
上述した従来技術では、鉛弾などの金属片が混入した土壌を粉砕するために、水を使用するので、鉛成分が水に溶出することがある。このため、その処理後の水の浄化処理が必要となり、設備が大型で高コストになるという問題がある。
【０００５】
また、この種の鉛弾などの金属片が混入した土壌に関して、その処理要求が増加していると共に、前述したようにこの種の土壌を長期間放置しておくと、その汚染物質の溶出が生じるので、短期間に多量の当該土壌を処理し得る方策が望まれているが、この要求に合致する方策が見当たらないのが現状である。
【０００６】
本発明は、上記の現状に鑑みてなされたもので、金属片等の混合物が混入した多量の土壌中から混合物を、短期間に分離することができる金属汚染土壌の処理装置を提供することを目的とする。
【課題を解決するための手段】
【０００７】
本発明は、上記の目的を達成するために、第１の発明は、金属片を混入している土壌から前記金属片を回収する金属汚染土壌の処理装置であって、金属片を混入している土壌を受入れる少なくとも２つ以上の螺旋状に形成した管路と前記管路の入口側に設けたホッパと前記管路の下方側部分に設けた空気噴射ノズルとこの空気噴射ノズルに連結した圧縮空気供給源とを有する粉砕機と、前記管路の出口側に設けられ、金属片と土砂とを分級する分級機とを備えたことを特徴とする金属汚染土壌の処理装置にある。
【０００８】
また、第２の発明は、金属片を混入している土壌から前記金属片を回収する金属汚染土壌の処理装置であって、金属片を混入している土壌の衝突及び土壌相互の衝突を可能にする少なくとも２つ以上の螺旋状に形成した管路と前記管路の入口側に設けたホッパと前記管路の下方側部分に設けられ、前記管路内に空気流を生起する空気噴射ノズルとこの空気噴射ノズルに連結した圧縮空気供給源とを有する粉砕機と、前記管路の出口側に設けられ、金属片と土砂とを分級する分級機とを備えたことを特徴とする金属汚染土壌の処理装置にある。
【発明の効果】
【０００９】
本発明によれば、金属片を混入している土壌は、空気流によって連続した螺旋状の管路内を衝突を伴って移送することができるので、金属片を混在した多量の土壌を短時間で処理することができるとともに、混在した金属片の回収率も向上させることができる。
【発明を実施するための最良の形態】
【００１０】
以下、本発明の実施の形態を図面を用いて説明する。  
図１は本発明の装置の一実施の形態を示す正面図、図２は一部断面にて示す図１の左側面図である。これらの図において、１は第１の架台、２は第２の架台である。３は第１の架台１上に設置した粉砕機で、この粉砕機３は連続した複数個（この例では４個）の螺旋状の管路壁を形成する螺旋状の管路４と、この管路４の入口側に設けたホッパ５と、管路４の出口側に設けた排出管６と、前記各管路４の下側部分に設けた空気噴射ノズル７とで構成されている。
【００１１】
前述した螺旋状の管路４は、円弧状の円筒管４１と直線状の円筒管４２との組合せ接合で構成され、支持枠８によって第１の架台１に固定されている。
【００１２】
前記各空気噴射ノズル７は、その噴出口が環状の管路４の軸線方向で下から上に向かうように前記各管路４の下側部分に設けられている。この各空気噴射ノズル７の配置構成により、各空気噴射ノズル７から噴出される圧縮空気は、螺旋状の管路４内に、金属片を混在した土壌を連続した複数個の螺旋状の管路壁内に衝突しながら移送させるための空気流を生起する。
【００１３】
９は例えば圧縮機等の圧縮空気供給源、１０はこの圧縮空気供給源９と各空気噴射ノズル７とを連結する圧縮空気供給管である。１１は第２の架台２に設けた分級機で、この分級機１１は例えばサイクロンを示している。１２は分級機１１と管路４の排出管６とを連結する連結管、１３は分級機１１で分級される鉛等の金属片を回収する容器で、第２の架台２に設けられている。１４は分級機１１と容器１３とを連結する連結管である。
【００１４】
次に、上述した本発明の粉砕装置の一実施の形態の動作を説明する。  
まず、圧縮空気供給源９からの圧縮空気を、圧縮空気供給管９を通して各空気噴射ノズル７に供給する。各空気噴射ノズル７は圧縮空気を螺旋状の管路４を構成する下側の円弧状の円筒管４１から、各螺旋状の管路４内に噴出する。これにより、螺旋状の管路４内には、金属片を混在した土壌を連続した複数個の環状管路壁内に衝突しながら移送させるための空気流が生起される。
【００１５】
この状態において、金属片を混在した土壌をホッパ５に投入すると、この土壌は粉砕機３を構成する図２における左側の直線状の円筒管４２を通して、下側の内円弧状の円筒管４１に落下する。この下側の内円弧状の円筒管４１に落下した土壌は、空気噴射ノズル７から噴出した圧縮空気によって生起された空気流により、下側の内円弧状の円筒管４１に連結した図２における右側の直線状の円筒管４２内の内壁面への衝突及び土壌の相互衝突を伴って直線状の円筒管４２内を上昇し、更に、上側の内円弧状の円筒管４１内に至り、この部分で同様に上側の内円弧状の円筒管４１内の内壁面への衝突及び土壌の相互衝突を伴って移動し、上側の内円弧状の円筒管４１に連結した図２の左側直線状の円筒管４２を通って次の下側の内円弧状の円筒管４１内に落下する。
【００１６】
上述したように、金属片を混在した土壌は、粉砕機３における連続した螺旋状の管路壁を形成する螺旋状の管路４を順次移動して粉砕され、この土壌を形成する土砂とこれに混在している金属片とに分離されて、排出管６から連結管１２を通って分級機１１に供給される。
【００１７】
この分級機１１に供給された土砂と金属片とは、この分級機１１によってそれぞれ金属片と土砂とに分離され、土砂は分級機１１の下方から排出され、また金属片は容器１３に送られて回収される。
【００１８】
この実施の形態によれば、金属片を混在した土壌を、空気流によって螺旋状の管路内を衝突作用を伴って移送することができるので、その粉砕性能が向上する。その結果、金属片を混在した多量の土壌を短時間で処理することができるとともに、混在した金属片の回収率も向上させることができる。
【００１９】
また、この実施の形態によれば、粉砕機３の主要構成を螺旋状の管路で構成したので、その軸方向寸法が短くなり、据付面積を小さくすることができる。
【００２０】
なお、上述の実施の形態においては、各空気噴射ノズル７を、その噴出口が環状の管路４の軸線方向で下から上に向かうように前記各管路４の下側部分に設けたが、噴出口が環状の管路４の軸線方向に対して角度を持ち下から上に向かうように前記各管路４の下側部分に設けて、各管路４内に旋回状の空気流を生起するように構成することも可能である。また、処理対象となる土壌が水分を含んでいる場合には、この土壌は各空気噴射ノズル７から噴射される空気によって乾燥される機能を有している。
【００２１】
また、上述の実施の形態においては、粉砕機３を構成する螺旋状の管路４の螺旋数を４つにしたが、対象土壌の性状に応じて、その螺旋数を変えることができる。また、螺旋状の管路４の断面形状は、円形に限らず例えば角形にすることも可能である。
【００２２】
更に、上述の実施の形態においては、分級機１１としてサイクロンを用いたが、風力選別機を用いることもできる。
【図面の簡単な説明】
【００２３】
【図１】本発明の装置の一実施の形態を示す正面図である。
【図２】図１に示す本発明の装置の一実施の形態を一部断面にて示す左側面図である。
【符号の説明】
【００２４】
１          第１の架台
２          第２の架台
３          粉砕機
４          螺旋状の管路
５          ホッパ
６          排出管
７          空気噴射ノズル７
９          圧縮空気供給源
１１        分級機
１３        容器
【図１】
2006055686.tif 000003
【図２】
2006055686.tif 000004